【手続補正書】
【提出日】平成22年8月23日(2010.8.23)
【手続補正１】
【補正対象書類名】特許請求の範囲
【補正対象項目名】全文
【補正方法】変更
【補正の内容】
【特許請求の範囲】
【請求項１】
外光を受光し、受光した外光の光強度を検出する光強度検出手段と、
それぞれが同一の領域の地形を表し、かつ使用色数がそれぞれ異なる複数の地図画像情報から、光強度検出手段によって検出された前記外光の光強度に対応する地図画像情報を取得する画像情報取得手段と、
画像情報取得手段によって取得された地図画像情報に関連する重畳情報を、前記光強度検出手段によって検出された前記外光の光強度に基づく表示態様で決定する重畳情報決定手段と、
画像情報取得手段によって取得された地図画像情報と、重畳情報決定手段によって決定された重畳情報とを重畳した重畳画像情報を生成する重畳画像情報生成手段と、
重畳画像情報生成手段によって生成された重畳画像情報を表示する表示手段とを備えることを特徴とする画像処理装置。
【請求項２】
前記重畳情報決定手段は、前記光強度検出手段によって検出された前記外光の光強度に基づいて、前記重畳情報の色および大きさの少なくともいずれか一方を決定することを特徴とする請求項１記載の画像処理装置。
【請求項３】
地図画像情報を記憶する外部の通信装置と通信する通信手段をさらに備え、
前記通信手段は、前記光強度検出手段によって検出された前記外光の光強度を表す外光強度情報を前記外部の通信装置に送信し、かつ前記外部の通信装置から送信される前記外光強度情報に対応する地図画像情報を受信し、
前記画像情報取得手段は、外部の通信装置から送信される前記地図画像情報を前記通信手段によって受信することによって、前記外光の光強度に対応する地図画像情報を取得することを特徴とする請求項１記載の画像処理装置。
【請求項４】
前記画像情報取得手段は、外部の記憶媒体に記憶される前記複数の地図画像情報から、前記外光の光強度に対応する地図画像情報を取得することを特徴とする請求項１記載の画像処理装置。
【請求項５】
画像を表示する表示手段と、
それぞれが同一の領域の地形を表し、かつ使用色数がそれぞれ異なる複数の地図画像情報、および前記複数の地図画像情報に関連する重畳情報を対応付けて記憶する記憶手段と、
前記記憶手段に記憶された複数の地図画像情報から、予め定める選択条件に対応する地図画像情報を選択する画像情報選択手段と、
前記記憶手段に記憶された重畳情報から、画像情報選択手段によって選択された地図画像に対応した重畳情報を決定する第１重畳情報決定手段と、
画像情報選択手段によって選択された地図画像情報と、第１重畳情報決定手段によって決定された重畳情報とを重畳した第１重畳画像情報を生成する第１重畳画像情報生成手段と、
第１重畳画像情報生成手段によって生成された第１重畳画像情報を表示手段に表示させる第１表示制御手段と、
前記記憶手段に記憶された複数の地図画像情報のうちの予め定める地図画像情報を、所定の色数の範囲内となるように階調変換する階調変換処理手段と、
前記記憶手段に記憶された重畳情報から、階調変換処理手段によって階調変換された地図画像情報に対応した重畳情報を決定する第２重畳情報決定手段と、
階調変換処理手段によって階調変換された地図画像情報と、第２重畳情報決定手段によって決定された重畳情報とを重畳した第２重畳画像情報を生成する第２重畳画像情報生成手段と、
第２重畳画像情報生成手段によって生成された第２重畳画像情報を表示手段に表示させる第２表示制御手段と、
前記第１表示制御手段によって第１重畳画像情報を表示手段に表示させるか、または前記第２表示制御手段によって第２重畳画像情報を表示手段に表示させるかを切換える切換手段とを備えることを特徴とする画像処理装置。
【請求項６】
それぞれが同一の領域の地形を表し、かつ使用色数がそれぞれ異なる複数の地図画像情報、および前記複数の地図画像情報に対応した重畳情報を記憶する記憶手段を有する画像処理装置で表示画像を生成するための表示画像生成方法であって、
外光を受光し、受光した外光の光強度情報を取得する光強度取得ステップと、
前記記憶手段に記憶された複数の地図画像情報から、前記光強度取得ステップで取得された光強度情報に対応する地図画像情報を選択する画像情報選択ステップと、
前記記憶手段に記憶された重畳情報から、画像情報選択ステップで選択された地図画像情報に関連する重畳情報を、前記光強度検出手段によって検出された前記外光の光強度に基づく表示態様で決定する重畳情報決定ステップと、
画像情報選択ステップで選択された地図画像情報と、重畳情報決定ステップで決定された重畳情報とを重畳した重畳画像情報を表す表示画像を生成する画像生成ステップとを含むことを特徴とする表示画像生成方法。
【請求項７】
それぞれが同一の領域の地形を表し、かつ使用色数がそれぞれ異なる複数の地図画像情報、および前記複数の地図画像情報に対応した重畳情報を記憶する記憶手段を有する画像処理装置で表示画像を生成するための表示画像生成方法であって、
前記記憶手段に記憶された複数の地図画像情報から、予め定める選択条件に対応する地図画像情報を選択し、前記記憶手段に記憶された重畳情報から、前記選択された地図画像情報に対応した重畳情報を決定し、前記選択された地図画像情報と、前記決定された重畳情報とを重畳した第１重畳画像情報を表す表示画像を生成する第１重畳画像情報生成ステップ、および
前記記憶手段に記憶された複数の地図画像情報のうちの予め定める地図画像情報を、所定の色数の範囲内となるように階調変換し、前記記憶手段に記憶された重畳情報から、前記階調変換された地図画像情報に対応した重畳情報を決定し、前記階調変換された地図画像情報と、前記決定された重畳情報とを重畳した第２重畳画像情報を表す表示画像を生成する第２重畳画像情報生成ステップのうちいずれか一方のステップを選択する選択ステップを含み、
選択ステップで選択されたステップで前記表示画像を生成することを特徴とする表示画像生成方法。
【手続補正２】
【補正対象書類名】明細書
【補正対象項目名】０００９
【補正方法】変更
【補正の内容】
【０００９】
本発明は、外光を受光し、受光した外光の光強度を検出する光強度検出手段と、
それぞれが同一の領域の地形を表し、かつ使用色数がそれぞれ異なる複数の地図画像情報から、光強度検出手段によって検出された前記外光の光強度に対応する地図画像情報を取得する画像情報取得手段と、
画像情報取得手段によって取得された地図画像情報に関連する重畳情報を、前記光強度検出手段によって検出された前記外光の光強度に基づい表示態様で決定する重畳情報決定手段と、
画像情報取得手段によって取得された地図画像情報と、重畳情報決定手段によって決定された重畳情報とを重畳した重畳画像情報を生成する重畳画像情報生成手段と、
重畳画像情報生成手段によって生成された重畳画像情報を表示する表示手段とを備えることを特徴とする画像処理装置である。
【手続補正３】
【補正対象書類名】明細書
【補正対象項目名】００１０
【補正方法】変更
【補正の内容】
【００１０】
また本発明は、前記重畳情報決定手段は、前記光強度検出手段によって検出された前記外光の光強度に基づいて、前記重畳情報の色および大きさの少なくともいずれか一方を決定することを特徴とする。
【手続補正４】
【補正対象書類名】明細書
【補正対象項目名】００１３
【補正方法】変更
【補正の内容】
【００１３】
また本発明は、画像を表示する表示手段と、
それぞれが同一の領域の地形を表し、かつ使用色数がそれぞれ異なる複数の地図画像情報、および前記複数の地図画像情報に関連する重畳情報を対応付けて記憶する記憶手段と、
前記記憶手段に記憶された複数の地図画像情報から、予め定める選択条件に対応する地図画像情報を選択する画像情報選択手段と、
前記記憶手段に記憶された重畳情報から、画像情報選択手段によって選択された地図画像に対応した重畳情報を決定する第１重畳情報決定手段と、
画像情報選択手段によって選択された地図画像情報と、第１重畳情報決定手段によって決定された重畳情報とを重畳した第１重畳画像情報を生成する第１重畳画像情報生成手段と、
第１重畳画像情報生成手段によって生成された第１重畳画像情報を表示手段に表示させる第１表示制御手段と、
前記記憶手段に記憶された複数の地図画像情報のうちの予め定める地図画像情報を、所定の色数の範囲内となるように階調変換する階調変換処理手段と、
前記記憶手段に記憶された重畳情報から、階調変換処理手段によって階調変換された地図画像情報に対応した重畳情報を決定する第２重畳情報決定手段と、
階調変換処理手段によって階調変換された地図画像情報と、第２重畳情報決定手段によって決定された重畳情報とを重畳した第２重畳画像情報を生成する第２重畳画像情報生成手段と、
第２重畳画像情報生成手段によって生成された第２重畳画像情報を表示手段に表示させる第２表示制御手段と、
前記第１表示制御手段によって第１重畳画像情報を表示手段に表示させるか、または前記第２表示制御手段によって第２重畳画像情報を表示手段に表示させるかを切換える切換手段とを備えることを特徴とする画像処理装置である。
【手続補正５】
【補正対象書類名】明細書
【補正対象項目名】００１４
【補正方法】変更
【補正の内容】
【００１４】
また本発明は、それぞれが同一の領域の地形を表し、かつ使用色数がそれぞれ異なる複数の地図画像情報、および前記複数の地図画像情報に対応した重畳情報を記憶する記憶手段を有する画像処理装置で表示画像を生成するための表示画像生成方法であって、
外光を受光し、受光した外光の光強度情報を取得する光強度取得ステップと、
前記記憶手段に記憶された複数の地図画像情報から、前記光強度取得ステップで取得された光強度情報に対応する地図画像情報を選択する画像情報選択ステップと、
前記記憶手段に記憶された重畳情報から、画像情報選択ステップで選択された地図画像情報に関連する重畳情報を、前記光強度検出手段によって検出された前記外光の光強度に基づく表示態様で決定する重畳情報決定ステップと、
画像情報選択ステップで選択された地図画像情報と、重畳情報決定ステップで決定された重畳情報とを重畳した重畳画像情報を表す表示画像を生成する画像生成ステップとを含むことを特徴とする表示画像生成方法である。
【手続補正６】
【補正対象書類名】明細書
【補正対象項目名】００１５
【補正方法】変更
【補正の内容】
【００１５】
また本発明は、それぞれが同一の領域の地形を表し、かつ使用色数がそれぞれ異なる複数の地図画像情報、および前記複数の地図画像情報に対応した重畳情報を記憶する記憶手段を有する画像処理装置で表示画像を生成するための表示画像生成方法であって、
前記記憶手段に記憶された複数の地図画像情報から、予め定める選択条件に対応する地図画像情報を選択し、前記記憶手段に記憶された重畳情報から、前記選択された地図画像情報に対応した重畳情報を決定し、前記選択された地図画像情報と、前記決定された重畳情報とを重畳した第１重畳画像情報を表す表示画像を生成する第１重畳画像情報生成ステップ、および
前記記憶手段に記憶された複数の地図画像情報のうちの予め定める地図画像情報を、所定の色数の範囲内となるように階調変換し、前記記憶手段に記憶された重畳情報から、前記階調変換された地図画像情報に対応した重畳情報を決定し、前記階調変換された地図画像情報と、前記決定された重畳情報とを重畳した第２重畳画像情報を表す表示画像を生成する第２重畳画像情報生成ステップのうちいずれか一方のステップを選択する選択ステップを含み、
選択ステップで選択されたステップで前記表示画像を生成することを特徴とする表示画像生成方法である。
【手続補正７】
【補正対象書類名】明細書
【補正対象項目名】００１７
【補正方法】変更
【補正の内容】
【００１７】
重畳情報決定手段は、画像情報取得手段によって取得された地図画像情報に対応した重畳情報を決定する。たとえば重畳情報決定手段は、取得された地図画像情報に基づいて文字および画像の少なくともいずれか一方を決定する。重畳画像情報生成手段は、画像情報取得手段によって取得された地図画像情報と、重畳情報決定手段によって決定された重畳情報とを重畳した重畳画像情報を生成する。重畳画像情報生成手段によって生成された重畳画像情報は、表示手段に表示される。
【手続補正８】
【補正対象書類名】明細書
【補正対象項目名】００１８
【補正方法】変更
【補正の内容】
【００１８】
前述のように光強度検出手段によって検出される外光の光強度に対応する地図画像情報が、画像情報取得手段によって取得され、この取得された地図画像情報と、この地図画像情報に対応した重畳情報とを重畳した重畳画像情報が生成されて、表示手段に表示されるので、周囲の環境、たとえば外光の光強度に関係なく、視認性の優れた画像処理装置を提供することができる。
【手続補正９】
【補正対象書類名】明細書
【補正対象項目名】００１９
【補正方法】変更
【補正の内容】
【００１９】
また本発明によれば、光強度検出手段によって検出された外光の光強度に基づいて、重畳情報の色および大きさの少なくともいずれか一方が、重畳情報決定手段によって決定されるので、画像情報取得手段によって外光の光強度に対応して取得される地図画像情報に、外光の光強度に基づいて色および大きさの少なくともいずれか一方が決定された重畳情報が重畳される。これによって、画像情報取得手段によって取得された地図画像情報に適した色または大きさの重畳情報を重畳させて、重畳画像情報として表示手段に表示させることが可能である。たとえば、取得された地図画像情報とは異なる色で重畳情報を表示させることが可能である。したがって、重畳画像情報をさらに見やすく表示手段に表示させることができるので、視認性がさらに優れた画像処理装置を提供することができる。
【手続補正１０】
【補正対象書類名】明細書
【補正対象項目名】００２４
【補正方法】変更
【補正の内容】
【００２４】
階調変換処理手段は、記憶手段に記憶された複数の地図画像情報のうちの予め定める地図画像情報を、所定の色数の範囲内となるように階調変換する。第２重畳情報決定手段は、記憶手段に記憶された重畳情報から、階調変換処理手段によって階調変換された地図画像情報に対応した重畳情報を決定する。第２重畳画像情報生成手段は、階調変換処理手段によって階調変換された地図画像情報と、第２重畳情報決定手段によって決定された重畳情報とを重畳した第２重畳画像情報を生成する。第２重畳画像情報生成手段によって生成された第２重畳画像情報は、第２表示制御手段によって、表示手段に表示される。
【手続補正１１】
【補正対象書類名】明細書
【補正対象項目名】００２６
【補正方法】変更
【補正の内容】
【００２６】
また本発明によれば、光強度取得ステップでは、外光を受光し、受光した外光の光強度情報を取得する。画像情報選択ステップでは、記憶手段に記憶された複数の地図画像情報から、光強度取得ステップで取得された光強度情報に対応する地図画像情報を選択する。重畳情報決定ステップでは、記憶手段に記憶された重畳情報から、画像情報選択ステップで選択された地図画像情報に関連する重畳情報であって、光強度取得ステップで取得した光強度に基づく表示態様の重畳情報を決定する。画像生成ステップでは、画像情報選択ステップで選択された地図画像情報と、重畳情報決定ステップで決定された重畳情報とを重畳した重畳画像情報を表す表示画像を生成する。
【手続補正１２】
【補正対象書類名】明細書
【補正対象項目名】００２８
【補正方法】変更
【補正の内容】
【００２８】
また本発明によれば、選択ステップでは、記憶手段に記憶された複数の地図画像情報から、予め定める選択条件に対応する地図画像情報を選択し、記憶手段に記憶された重畳情報から、前記選択された地図画像情報に対応した重畳情報を決定し、前記選択された地図画像情報と、前記決定された重畳情報とを重畳した第１重畳画像情報を生成する第１重畳画像情報生成ステップ、および記憶手段に記憶された複数の地図画像情報のうちの予め定める地図画像情報を、所定の色数の範囲内となるように階調変換し、記憶手段に記憶された重畳情報から、前記階調変換された地図画像情報に対応した重畳情報を決定し、前記階調変換された地図画像情報と、前記決定された重畳情報とを重畳した第２重畳画像情報を生成する第２重畳画像情報生成ステップのいずれか一方のステップのうちいずれか一方のステップが選択される。表示画像は、選択ステップで選択されたステップで生成される。
【手続補正１３】
【補正対象書類名】明細書
【補正対象項目名】００４０
【補正方法】変更
【補正の内容】
【００４０】
処理部１８は、マップ表示ボタン２３が操作されたことを表す情報が操作部１５から与えられると、地図画像情報と重畳情報とを重畳した重畳画像情報を生成して表示部１６の表示画面に表示させる。さらに具体的に述べると、処理部１８は、画像情報選択部１８ａおよび重畳情報決定部１８ｂ（図６参照）を含む。画像情報選択部１８ａは、ＲＯＭ１４に記憶されているマップデータベース３０から、予め定める選択条件に対応する地図画像情報、本実施の形態では位置測定部１２から与えられる位置情報および光センサ部１１から与えられる外光強度情報が表す外光の光強度に対応する地図画像情報を選択して読出す。重畳情報決定部１８ｂは、選択した地図画像情報に関連する重畳情報を、前記光センサ部１１によって検出された外光の光強度に基づく表示態様で決定する。
【手続補正１４】
【補正対象書類名】明細書
【補正対象項目名】００４１
【補正方法】変更
【補正の内容】
【００４１】
処理部１８は、表示モード切換ボタン２４が操作され、表示モード切換ボタン２４の接点がオン状態であることを表すオン情報が操作部１５から与えられると、まず、前記オン情報が与えられる時点で設定されているモードを５色表示モードに切換える。次に、画像情報選択部１８ａは、光センサ部１１から与えられる外光強度情報が表す外光の光強度に基づいて、予め定める５色、たとえば逆光が表示部１６に入射している状態でも視認し易い色として選ばれた白、黒、赤、緑、黄色の５色で表された地図画像情報をＲＯＭ１４のマップデータベース３０から選択して読出す。次に、重畳情報決定部１８ｂは、選択した地図画像情報に対応した重畳情報を決定する。処理部１８は、前記地図画像情報と前記重畳情報とを重畳した重畳画像情報を生成して表示部１６の表示画面に表示させる。
【手続補正１５】
【補正対象書類名】明細書
【補正対象項目名】００４２
【補正方法】変更
【補正の内容】
【００４２】
処理部１８は、表示モード切換ボタン２４が予め定める時間操作されずに、表示モード切換ボタン２４の接点がオフ状態であることを表すオフ情報が操作部１５から与えられると、まず、前記オフ情報が与えられた時点で設定されているモードを階調変換表示モードに切換える。次に、処理部１８は、画像情報選択部１８ａによって選択された地図画像情報の階調数を、光センサ部１１によって検出した外光の光強度に応じて変化させる階調変換処理をする。次に、重畳情報決定部１８ｂは、階調変換処理された地図画像情報に対応した重畳情報を決定する。処理部１８は、階調変換処理された地図画像情報と、重畳情報決定部１８ｂによって決定された重畳情報とを重畳した重畳画像情報を生成して表示部１６の表示画面に表示させる。
【手続補正１６】
【補正対象書類名】明細書
【補正対象項目名】００５２
【補正方法】変更
【補正の内容】
【００５２】
処理部１８の重畳情報決定部１８ｂは、ＲＯＭ１４に記憶されているマップデータベース３０から、画像情報選択部１８ａによって選択された地図画像情報に対応した重畳情報、具体的には５色表示用重畳情報４３またはフルカラー表示用重畳情報４８を決定する。さらに述べると、重畳情報決定部１８ｂは、光センサ部１１から与えられる外光強度情報が表す外光の光強度に基づいて、テキスト情報４４の表示色およびテキスト情報４４のフォントサイズの少なくともいずれか一方を決定する。
【手続補正１７】
【補正対象書類名】明細書
【補正対象項目名】００６１
【補正方法】変更
【補正の内容】
【００６１】
ステップａ１２では、重畳情報決定部１８ｂが、ステップａ２で検索された表示用情報３１に含まれているフルカラー表示用情報３３から、ステップａ１１で階調変換処理されたフルカラー地図画像情報に対応した重畳情報を決定して、ステップａ１３に移行する。
【手続補正１８】
【補正対象書類名】明細書
【補正対象項目名】００６８
【補正方法】変更
【補正の内容】
【００６８】
処理部１８の重畳情報決定部１８ｂは、画像情報選択部１８ａによって選択された地図画像情報に対応した重畳情報を決定する。たとえば重畳情報決定部１８ｂは、選択された地図画像情報に対応する文字および画像の少なくともいずれか一方を決定する。処理部１８は、画像情報選択部１８ａによって選択された地図画像情報と、重畳情報決定部１８ｂによって決定された重畳情報とを重畳した重畳画像情報を生成する。処理部１８によって生成された重畳画像情報は、表示部１６の表示画面に表示される。
【手続補正１９】
【補正対象書類名】明細書
【補正対象項目名】００６９
【補正方法】変更
【補正の内容】
【００６９】
前述のように光センサ部１１によって検出される外光の光強度に対応する地図画像情報が、画像情報選択部１８ａによって選択され、この選択された地図画像情報に対応した重畳情報が、重畳情報決定部１８ｂによって決定される。画像情報選択部１８ａによって選択された地図画像情報と、重畳情報決定部１８ｂによって決定された重畳情報とを重畳した重畳画像情報が、処理部１８によって生成されて表示部１６の表示画面に表示されるので、周囲の環境、たとえば外光の光強度に関係なく、視認性の優れた画像処理装置１０を提供することができる。
【手続補正２０】
【補正対象書類名】明細書
【補正対象項目名】００７０
【補正方法】変更
【補正の内容】
【００７０】
また画像処理装置１０によれば、光センサ部１１によって検出された外光の光強度に基づいて、重畳情報、さらに具体的には５色表示用重畳情報４３またはフルカラー表示用重畳情報４８に含まれるテキスト情報４４の表示色およびテキスト情報４４のフォントサイズの少なくともいずれか一方が、重畳情報決定部１８ｂによって表示態様として決定されるので、画像情報選択部１８ａによって外光の光強度に対応して選択される地図画像情報に、外光の光強度に基づいてテキスト情報４４の表示色およびフォントサイズの少なくともいずれか一方が表示態様として決定された重畳情報が重畳される。
【手続補正２１】
【補正対象書類名】明細書
【補正対象項目名】００７３
【補正方法】変更
【補正の内容】
【００７３】
５色表示モードでは、光センサ部１１から与えられる外光強度情報が表す外光の光強度に基づいて、ＲＯＭ１４に記憶されるマップデータベース３０に含まれている５色表示用情報３２から、予め定める５色、たとえば逆光が表示部１６に入射している状態でも視認し易い色として選ばれた白、黒、赤、緑、黄色の５色で表された５色地図画像情報４２が、画像情報選択部１８ａによって選択される。またマップデータベース３０に含まれている５色表示用情報３２から、画像情報選択部１８ａによって選択された５色地図画像情報４２に対応した５色表示用重畳情報４３が、重畳情報決定部１８ｂによって決定される。画像情報選択部１８ａによって選択された５色地図画像情報４２と、重畳情報決定部１８ｂによって決定された５色表示用重畳情報４３とを重畳した５色重畳画像情報６０は、処理部１８によって生成されて表示部１６の表示画面に表示される。
【手続補正２２】
【補正対象書類名】明細書
【補正対象項目名】００７４
【補正方法】変更
【補正の内容】
【００７４】
階調変換表示モードでは、光センサ部１１から与えられる外光強度情報が表す外光の光強度に基づいて、ＲＯＭ１４に記憶されるマップデータベース３０に含まれているフルカラー表示用情報３３から、フルカラー地図画像情報４７が、画像情報選択部１８ａによって選択される。画像情報選択部１８ａによって選択されたフルカラー地図画像情報４７の階調数を、光センサ部１１によって検出した外光の光強度に応じて変化させる階調変換処理が、処理部１８によって行われる。またマップデータベース３０に含まれているフルカラー表示用情報３３から、処理部１８によって階調変換処理されたフルカラー地図画像情報に対応した重畳情報が、重畳情報決定部１８ｂによって決定される。画像情報選択部１８ａによって選択されたフルカラー地図画像情報４７と、重畳情報決定部１８ｂによって決定された重畳情報とを重畳した階調変換重畳画像情報７０は、処理部１８によって生成されて表示部１６の表示画面に表示される。